(57)【要約】【課題】外部装置とのインタフェースに関わらずキャリアの設定を行うことが可能な基地局装置を提供する。【解決手段】データ解析部２４は、データ送受信部２２が受信したＡｘＣコンテナ設定要求を解析し、ＡｘＣコンテナパターンを決定する。データ解析部２４は、決定したＡｘＣコンテナパターンをＦＰＧＡ２６に対して設定する。また、ＦＰＧＡ２６は、予め、図３を用いて後述するＡｘＣコンテナ設定テーブルを格納する。ここで、データ解析部２４は、このＡｘＣコンテナ設定テーブルとＡｘＣコンテナ設定要求とを比較することにより、ＡｘＣコンテナパターンを決定する。【選択図】図１
2012142801.tif 000002
【特許請求の範囲】
【請求項１】
外部装置から、１つ以上のキャリアに使用される帯域を含むキャリア設定要求を受信する要求受信手段と、
キャリアの設定数とそのキャリアの帯域とを対応付けたパターンからなるパターンテーブルを記憶する記憶手段と、
前記要求受信手段によって受信されたキャリア設定要求に含まれる帯域を所定の条件に基づいて並び替え、並び替えた順に、前記受信されたキャリア設定要求に含まれる帯域が、前記パターンテーブルに含まれる帯域と一致するか否かを判定する判定手段と、
前記判定手段により全ての帯域が一致するパターンに基づいてキャリアの設定を行う設定手段と
を有する基地局装置。
【発明の詳細な説明】
【技術分野】
【０００１】
本発明は、基地局装置に関する。
【背景技術】
【０００２】
例えば、特許文献１は、ＣＤＭＡ（Code Division Multiple Access）方式により無線通信するＣＤＭＡ基地局装置等に関し、特に、例えばハードウェアを変更せずとも、フィールドプログラマブルゲートアレイ（ＦＰＧＡ：Field Programmable Gate Array）やデジタル信号処理器（ＤＳＰ:Digital Signal Processor）のソフトウェアを変更することにより複数の通信方式に対応することが可能なＣＤＭＡ基地局装置を開示する。
【先行技術文献】
【特許文献】
【０００３】
【特許文献１】特開２００２−０７７１０３号公報
【発明の概要】
【発明が解決しようとする課題】
【０００４】
本発明は、上述した背景からなされたものであり、外部装置とのインタフェースに関わらずキャリアの設定を行うことが可能な基地局装置を提供することを目的とする。
【課題を解決するための手段】
【０００５】
本発明に係る基地局装置は、外部装置から、１つ以上のキャリアに使用される帯域を含むキャリア設定要求を受信する要求受信手段と、キャリアの設定数とそのキャリアの帯域とを対応付けたパターンからなるパターンテーブルを記憶する記憶手段と、前記要求受信手段によって受信されたキャリア設定要求に含まれる帯域を所定の条件に基づいて並び替え、並び替えた順に、前記受信されたキャリア設定要求に含まれる帯域が、前記パターンテーブルに含まれる帯域と一致するか否かを判定する判定手段と、前記判定手段により全ての帯域が一致するパターンに基づいてキャリアの設定を行う設定手段とを有する。
【発明の効果】
【０００６】
本発明に係る基地局装置によれば、外部装置とのインタフェースに関わらずキャリアの設定を行うことができる。
【図面の簡単な説明】
【０００７】
【図１】本発明の実施形態にかかる無線システム１の構成を示す図である。
【図２】外部装置と基地局装置との間でなされるＡｘＣコンテナ設定の処理を示す通信シーケンス図である。
【図３】ＡｘＣコンテナ設定テーブルを例示する図である。
【図４Ａ】データ解析部によって実行される、図３（Ａ）に例示したＡｘＣコンテナ設定テーブルを用いたデータ解析およびＡｘＣコンテナパターンの決定の処理を示す図である。
【図４Ｂ】データ解析部によって実行される、図３（Ａ）に例示したＡｘＣコンテナ設定テーブルを用いたデータ解析およびＡｘＣコンテナパターンの決定の処理を示す図である。
【図５Ａ】データ解析部によって実行される、図３（Ｂ）に例示したＡｘＣコンテナ設定テーブルを用いたデータ解析およびＡｘＣコンテナパターンの決定の処理を示す図である。
【図５Ｂ】データ解析部によって実行される、図３（Ｂ）に例示したＡｘＣコンテナ設定テーブルを用いたデータ解析およびＡｘＣコンテナパターンの決定の処理を示す図である。
【発明を実施するための形態】
【０００８】
［本発明の背景］
本発明の理解を助けるために、まず、本発明がなされるに至った背景を説明する。
【０００９】
基地局装置のコンテナ設定において、各キャリアの周波数帯域幅とは別に、各キャリアを設定するコンテナ情報（設定パターン）が、外部装置とのインタフェースに含まれている場合がある。
この場合は、各キャリアで使用される周波数帯域幅を考慮せずに、外部装置からの要求通りに、基地局装置のＦＰＧＡにコンテナ情報を設定すればよい。
また、キャリアを追加または削除する場合も同様に、更新するコンテナ情報が外部装置とのインタフェースに含まれている場合がある。
この場合も、各キャリアで使用する周波数帯域幅を考慮せずに、外部装置からの要求通りに、ＦＰＧＡにコンテナ情報を設定すればよい。
ここで、コンテナとは、基地局装置のメモリのうち、Ｕ−Ｐｌａｎｅ（Ｕｓｅｒ  Ｐｌａｎｅ）のデータを割り当てるための領域をいう。
また、コンテナ情報とは、コンテナ部分に入力されるデータを示す情報である。
【００１０】
一方、キャリアを新規設定、追加または削除するときにコンテナ情報（設定パターン）が外部装置とのインタフェースに含まれていない場合には、各キャリアの周波数帯域幅に基づいて、ＦＰＧＡによって定められたＡｘＣ（Antenna Carrier：アンテナキャリア）コンテナのパターン（ＡｘＣコンテナパターン）に一致させるためのコンテナ情報決定処理が必要となる。ここで、ＡｘＣコンテナパターンとは、設定する帯域パターンをいう。
以下に示す実施形態にかかる基地局装置は、キャリアの新規設定、追加または削除の際に、各キャリアの周波数帯域と、ＦＰＧＡによって定められたパターンとを参照し、全キャリアについて一致するようなパターンを決定するように、構成されている。
【００１１】
以下、本発明の実施形態を説明する。
【００１２】
図１は、本発明の実施形態にかかる無線システム１の構成を示す図である。
図１に示すように、無線システム１は、外部装置１００および基地局装置２から構成され、基地局装置２は、データ送受信部２２、データ解析部２４およびＦＰＧＡ２６から構成されている。
データ送受信部２２は、外部装置１００からのデータを受信し、外部装置１００に対してデータを送信するための処理を行う。
例えば、データ送受信部２２は、図１に示すように、要求の種別（新規設定／追加／削除／全変更）および帯域＃１〜＃Ｎ（Ｎは１以上の整数）を含むＡｘＣコンテナ設定要求を受信する。
データ解析部２４は、後述するように、データ送受信部２２が受信したＡｘＣコンテナ設定要求を解析し、ＡｘＣコンテナパターンを決定する。
また、データ解析部２４は、決定したＡｘＣコンテナパターンを、ＦＰＧＡ２６に対して設定する。
また、ＦＰＧＡ２６は、予め、図３を用いて後述するＡｘＣコンテナ設定テーブルを格納する。
ここで、データ解析部２４は、このＡｘＣコンテナ設定テーブルとＡｘＣコンテナ設定要求とを比較することにより、ＡｘＣコンテナパターンを決定する。
【００１３】
図２は、外部装置１００と基地局装置２との間でなされるＡｘＣコンテナ設定の処理（Ｓ１０）を示す通信シーケンス図である。
図２に示すように、ステップ１０２（Ｓ１０２）において、外部装置１００は、図１に示したＡｘＣコンテナ設定要求（または同等要求）を、基地局装置２に対して送信する。
ステップ１０４（Ｓ１０４）において、基地局装置２のデータ送受信部２２は、外部装置１００からＡｘＣコンテナ設定要求を受信し、データ解析部２４に対して送信する。
ステップ１０６（Ｓ１０６）において、データ解析部２４は、後述するように、ＡｘＣコンテナ設定要求に含まれる帯域（帯域幅）に基づいて、ＡｘＣコンテナパターンを決定するための処理を行う。
【００１４】
ステップ１０８（Ｓ１０８）において、データ解析部２４は、決定したＡｘＣコンテナパターンをＦＰＧＡ２６に対して設定する。
ステップ１１２（Ｓ１１２）において、データ解析部２４は、ＡｘＣコンテナパターンの設定後、データ送受信部２２に対して、ＡｘＣコンテナパターンが設定されたことを示すＡｘＣコンテナ設定応答を送信する。
なお、設定パターンがＡｘＣコンテナ設定テーブルにない場合は、データ解析部２４は、ＮＧを示す応答を送信してもよい。
ステップ１１４（Ｓ１１４）において、データ送受信部２２は、ＡｘＣコンテナ設定要求を送信した外部装置１００に対して、ＡｘＣコンテナ応答を送信する。
【００１５】
図３は、ＡｘＣコンテナ設定テーブルを例示する図であり、（Ａ）は、キャリアの設定数順に各情報が列挙されたＡｘＣコンテナ設定テーブルを例示し、（Ｂ）は、設定パターン順に各情報が列挙されたＡｘＣコンテナ設定テーブルを例示する。
図３（Ａ）に例示するＡｘＣコンテナ設定テーブルにおいては、設定数、使用帯域および設定パターンの順に、テーブルが定義されている。
また、図３（Ａ）に例示するＡｘＣコンテナ設定テーブルにおいては、例えば、設定数１の列がＡｘＣコンテナ設定テーブル−１と定義され、設定数２の列がＡｘＣコンテナ設定テーブル−２と定義されている。
図３（Ｂ）に例示するＡｘＣコンテナ設定テーブルにおいては、設定パターン、使用帯域および設定数の順に、テーブルが定義されている。
また、設定数と使用帯域の数は、各テーブルの列において一致する。
【００１６】
図４Ａおよび図４Ｂは、データ解析部２４によって実行される、図３（Ａ）に例示したＡｘＣコンテナ設定テーブルを用いたデータ解析およびＡｘＣコンテナパターンの決定の処理（Ｓ２０）を示す図である。
図４Ａおよび図４Ｂに示すように、ステップ２００（Ｓ２００）において、データ解析部２４は、データ送受信部からＡｘＣコンテナ設定要求を受信する。
ステップ２０２（Ｓ２０２）において、データ解析部２４は、その時点における設定済みのキャリアが存在するか否かを判断する。
設定済みのキャリアが存在する場合は、処理はＳ２４０に進み、存在しない場合は、処理はＳ２０４に進む。
【００１７】
ステップ２０４（Ｓ２０４）において、データ解析部２４は、ＡｘＣコンテナ設定要求に含まれる帯域（例えば５Ｍ，１０Ｍ，１５Ｍ，２０Ｍ［Ｈｚ］）をメモリに格納する。
ステップ２０６（Ｓ２０６）において、データ解析部２４は、格納された帯域を昇順または降順に並び替えてメモリに格納し直す。
ここで、ＡｘＣコンテナ設定テーブルの使用帯域において、帯域が昇順で定義されている場合は昇順に並び替え、降順で定義されている場合は降順に並び替える。
ステップ２０８（Ｓ２０８）において、データ解析部２４は、ＡｘＣコンテナ設定要求に含まれていた帯域の数に基づいて、設定するキャリアの数（設定数）を判定する。
設定数が１の場合は、処理はＳ２１０に進み、設定数が２以上の場合は、処理はＳ２２０に進む。
【００１８】
ステップ２１０（Ｓ２１０）において、データ解析部２４は、設定数に基づいて、図３（Ａ）に例示したＡｘＣコンテナ設定テーブルのうちから、比較に用いるテーブルを選択する。
この場合、設定数は１なので、ＡｘＣコンテナ設定テーブル−１が選択される。
ステップ２１２（Ｓ２１２）において、データ解析部２４は、メモリに格納されている（ＡｘＣコンテナ設定要求に含まれていた）帯域と、図３（Ａ）に例示されたＡｘＣコンテナ設定テーブルの帯域（使用帯域）とを比較する。
例えば、メモリに格納されている（ＡｘＣコンテナ設定要求に含まれていた）帯域が５Ｍ［Ｈｚ］である場合、この「５Ｍ」と、ＡｘＣコンテナ設定テーブル−１の使用帯域とが比較される。
ステップ２１４（Ｓ２１４）において、データ解析部２４は、比較の結果、メモリに格納されている（ＡｘＣコンテナ設定要求に含まれていた）帯域と一致する使用帯域の設定パターンを決定し、処理を終了する。
例えば、メモリに格納されている（ＡｘＣコンテナ設定要求に含まれていた）帯域が５Ｍ［Ｈｚ］である場合は、ＡｘＣコンテナパターンは設定パターン４と決定される。
【００１９】
ステップ２２０（Ｓ２２０）において、データ解析部２４は、設定数に基づいて、図３（Ａ）に例示したＡｘＣコンテナ設定テーブルのうちから、比較に用いるテーブルを選択する。
例えば、設定数が２の場合、ＡｘＣコンテナ設定テーブル−２が選択される。
ステップ２２２（Ｓ２２２）において、データ解析部２４は、Ｎ＝１を設定する。
ステップ２２４（Ｓ２２４）において、Ｓ２０６において並び替えた帯域のうちのＮ番目の帯域を抽出する。
【００２０】
ステップ２２６（Ｓ２２６）において、データ解析部２４は、抽出された帯域（Ｎ番目の帯域）と、選択されたＡｘＣコンテナ設定テーブルの使用帯域のＮ番目とを比較する。
また、データ解析部２４は、比較の結果、抽出された帯域（Ｎ番目の帯域）と一致する使用帯域の設定パターンを、候補パターンとして決定する。
ステップ２２８（Ｓ２２８）において、データ解析部２４は、Ｎが設定数と等しいか否かを判断する。
Ｎが設定数と等しくない場合（つまりＮ＜設定数）の場合は、処理はＳ２３０に進み、等しい場合は、処理はＳ２３２に進む。
【００２１】
ステップ２３０（Ｓ２３０）において、データ解析部２４は、Ｎを１つ増やし、処理はＳ２２４に進む。
その後は、Ｓ２２８においてＮ＝設定数と判断されるまで、Ｓ２２４〜Ｓ２３０が繰り返される。
その際、Ｎ＝２以降の処理において、Ｓ２２６の処理は、直前のループにおけるＳ２２６の処理で候補パターンとして決定された設定パターンの使用帯域のＮ番目の帯域と、抽出された帯域（Ｎ番目の帯域）とが比較される。
ステップ２３２（Ｓ２３２）において、データ解析部２４は、ＡｘＣコンテナ設定要求に含まれていた帯域の全てと等しい使用帯域の設定パターンを、ＡｘＣコンテナパターンとして決定し、処理を終了する。
なお、Ｓ２１２およびＳ２２６の処理において、対応する設定パターンがＡｘＣコンテナ設定テーブルにない場合は、データ解析部２４は、処理を終了してもよい。
【００２２】
ここで、例えば、メモリに格納されている（ＡｘＣコンテナ設定要求に含まれていた）帯域が１０Ｍ，５Ｍ［Ｈｚ］の場合を仮定する。
この場合、Ｎ＝１のとき（１回目のループの際）は、１番目の「１０Ｍ」と、図３（Ａ）に例示するＡｘＣコンテナ設定テーブル−２の各使用帯域のＮ＝１番目（つまり先頭）の帯域とが比較される。
そして、設定パターン６，７が候補パターンとして決定される。
また、Ｎ＝２のときは、２番目の「５Ｍ」と、図３（Ａ）に例示するＡｘＣコンテナ設定テーブル−２の各使用帯域のＮ＝２番目の帯域とが比較される。
そして、設定パターン７がＡｘＣコンテナパターンとして決定される。
【００２３】
ステップ２４０（Ｓ２４０）において、データ解析部２４は、ＡｘＣコンテナ設定要求の内容が、キャリアの追加要求であるか、削除要求であるか、または全変更要求であるかを判断する。
キャリアの追加要求である場合は、処理はＳ２４２に進み、削除要求である場合は、処理はＳ２５０に進み、全変更要求である場合は、処理はＳ２６０に進む。
【００２４】
ステップ２４２（Ｓ２４２）において、データ解析部２４は、現在設定されているキャリアとその数、および各キャリアの使用帯域等を含むキャリア情報を確認する。
ステップ２４４（Ｓ２４４）において、データ解析部２４は、現在設定されているキャリアの数に追加のキャリアの数を加算したキャリアの数を算出し、算出したキャリア数分の帯域を、メモリに格納する。
その後、処理はＳ２０６に進む。
ステップ２５０（Ｓ２５０）において、データ解析部２４は、現在設定されているキャリアの数と削除するキャリアの数とを比較して、キャリアの一部の削除か全削除かを判断する。
一部削除の場合は、処理はＳ２５２に進み、全削除の場合は、処理はＳ２５６に進む。
【００２５】
ステップ２５２（Ｓ２５２）において、データ解析部２４は、キャリア情報を確認する。
ステップ２５４（Ｓ２５４）において、データ解析部２４は、現在設定されているキャリアの数から削除するキャリアの数を減算したキャリアの数を算出し、算出したキャリア数分の帯域を、メモリに格納する。
その後、処理はＳ２０６に進む。
ステップ２５６（Ｓ２５６）において、データ解析部２４は、新たにパターンを設定することはないので、設定されているＡｘＣコンテナパターン（設定パターン情報）を初期化して、処理を終了する。
ステップ２６０（Ｓ２６０）において、データ解析部２４は、現在設定されているＡｘＣコンテナパターン（設定パターン情報）を初期化して、処理はＳ２０４に進む。
【００２６】
図５Ａおよび図５Ｂは、データ解析部２４によって実行される、図３（Ｂ）に例示したＡｘＣコンテナ設定テーブルを用いたデータ解析およびＡｘＣコンテナパターンの決定の処理（Ｓ３０）を示す図である。
図５Ａおよび図５Ｂに示すように、ステップ３００（Ｓ３００）において、データ解析部２４は、データ送受信部からＡｘＣコンテナ設定要求を受信する。
ステップ３０２（Ｓ３０２）において、データ解析部２４は、その時点における設定済みのキャリアが存在するか否かを判断する。
設定済みのキャリアが存在する場合は、処理はＳ３４０に進み、存在しない場合は、処理はＳ３０４に進む。
【００２７】
ステップ３０４（Ｓ３０４）において、データ解析部２４は、ＡｘＣコンテナ設定要求に含まれる帯域（例えば５Ｍ，１０Ｍ，１５Ｍ，２０Ｍ［Ｈｚ］）をメモリに格納する。
ステップ３０６（Ｓ３０６）において、データ解析部２４は、格納された帯域を昇順または降順に並び替えてメモリに格納し直す。
ここで、ＡｘＣコンテナ設定テーブル内の使用帯域において、帯域が昇順で定義されている場合は昇順に並び替え、降順で定義されている場合は降順に並び替える。
【００２８】
ステップ３２２（Ｓ３２２）において、データ解析部２４は、Ｎ＝１を設定する。
ステップ３２４（Ｓ３２４）において、Ｓ３０６において並び替えた帯域のうちのＮ番目の帯域を抽出する。
ステップ３２６（Ｓ３２６）において、データ解析部２４は、抽出された帯域（Ｎ番目の帯域）と、ＡｘＣコンテナ設定テーブルの各設定パターンにおける使用帯域のＮ番目とを比較する。
また、データ解析部２４は、比較の結果、抽出された帯域（Ｎ番目の帯域）と一致する使用帯域の設定パターンを、候補パターンとして決定する。
ステップ３２８（Ｓ３２８）において、データ解析部２４は、Ｎが設定数と等しいか否かを判断する。
Ｎが設定数と等しくない場合（つまりＮ＜設定数）の場合は、処理はＳ３３０に進み、等しい場合は、処理はＳ３３２に進む。
【００２９】
ステップ３３０（Ｓ３３０）において、データ解析部２４は、Ｎを１つ増やし、処理はＳ３２４に進む。
その後は、Ｓ３２８においてＮ＝設定数と判断されるまで、Ｓ３２４〜Ｓ３３０が繰り返される。
その際、Ｎ＝２以降の処理において、Ｓ３２６の処理は、直前のループにおけるＳ３２６の処理で候補パターンとして決定された設定パターンの使用帯域のＮ番目の帯域と、抽出された帯域（Ｎ番目の帯域）とが比較される。
【００３０】
ステップ３３２（Ｓ３３２）において、データ解析部２４は、ＡｘＣコンテナ設定要求に含まれていた帯域の全てと等しい使用帯域の設定パターンを、ＡｘＣコンテナパターンとして決定し、処理を終了する。
このとき、候補パターンが複数決定されていた場合については、比較の対象とならなかった帯域を使用帯域として含む設定パターンは、ＡｘＣコンテナ設定要求に含まれていた帯域の「全て」と等しい使用帯域の設定パターンではないので、ＡｘＣコンテナパターンとせずに除外する。
なお、Ｓ３２６の処理において、対応する設定パターンがＡｘＣコンテナ設定テーブルにない場合は、データ解析部２４は、処理を終了してもよい。
【００３１】
ここで、例えば、メモリに格納されている（ＡｘＣコンテナ設定要求に含まれていた）帯域が１０Ｍ，５Ｍ［Ｈｚ］の場合を仮定する。
この場合、Ｎ＝１のとき（１回目のループの際）は、１番目の「１０Ｍ」と、図３（Ｂ）に例示するＡｘＣコンテナ設定テーブルの各使用帯域のＮ＝１番目（つまり先頭）の帯域とが比較される。
そして、設定パターン６，７，８が候補パターンとして決定される。
また、Ｎ＝２のときは、２番目の「５Ｍ」と、図３（Ａ）に例示するＡｘＣコンテナ設定テーブルの各使用帯域のＮ＝２番目の帯域とが比較される。
この場合、候補パターンとして設定パターン７，８が決定されるが、Ｎ＝２のときＮ＝設定数（つまり最終ループ）なので、比較の対象とならなかった３番目の帯域５Ｍを含む設定パターン８は、除外される。
したがって、最終的に、設定パターン７がＡｘＣコンテナパターンとして決定される。
【００３２】
ステップ３４０（Ｓ３４０）において、データ解析部２４は、既存のキャリア情報を確認する。
ステップ３４２（Ｓ３４２）において、データ解析部２４は、確認した既存のキャリア情報をメモリに格納する。
ステップ３４４（Ｓ３４４）において、データ解析部２４は、ＡｘＣコンテナ設定要求の内容が、キャリアの追加要求であるか、削除要求であるか、または全変更要求であるかを判断する。
キャリアの追加要求である場合は、処理はＳ３４６に進み、削除要求である場合は、処理はＳ３５０に進み、全変更要求である場合は、処理はＳ３６０に進む。
【００３３】
ステップ３４６（Ｓ３４６）において、データ解析部２４は、追加対象のキャリアとその数、および各キャリアの使用帯域等を含むキャリア情報を、メモリに格納する。
その後、処理はＳ３０６に進む。
ステップ３５０（Ｓ３５０）において、データ解析部２４は、現在設定されているキャリアの数と削除するキャリアの数とを比較して、キャリアの一部の削除か全削除かを判断する。
一部削除の場合は、処理はＳ３５２に進み、全削除の場合は、処理はＳ３５６に進む。
【００３４】
ステップ３５２（Ｓ３５２）において、データ解析部２４は、削除対象のキャリアとその数、および各キャリアの使用帯域等を含むキャリア情報を、メモリから削除する。
その後、処理はＳ３０６に進む。
ステップ３５６（Ｓ３５６）において、データ解析部２４は、新たにパターンを設定することはないので、設定されているＡｘＣコンテナパターン（設定パターン情報）を初期化して、処理を終了する。
ステップ３６０（Ｓ３６０）において、データ解析部２４は、現在設定されているＡｘＣコンテナパターン（設定パターン情報）を初期化して、処理はＳ３０４に進む。
【００３５】
本実施形態は、上記のように構成されているので、ＦＰＧＡが生成したＡｘＣコンテナ設定テーブル内の使用帯域と、ＡｘＣコンテナ設定要求に含まれる帯域とを比較することができるので、コンテナ情報が外部装置とのインタフェースに含まれていない場合であっても、ＦＰＧＡによるパターン設定が可能となる。
また、キャリアが既に設定されている場合であっても、容易にキャリアの追加、削除または変更が可能である。
さらに、他の基地局装置において、ＦＰＧＡに設定されたコンテナパターンが異なる場合であっても、ＡｘＣコンテナ設定テーブルを、他の基地局装置と一致させるように変更することで、ＡｘＣコンテナ設定テーブルを他の基地局装置へ流用することが可能となるので、複数の基地局装置に対して開発の効率化および品質の向上が可能となる。
なお、外部装置からのインタフェースにコンテナ情報が含まれる場合は、図２のＳ１０６および図４Ａ，図４Ｂ，図５Ａ，図５Ｂの処理を省略するようにしてもよい。
【産業上の利用可能性】
【００３６】
本発明は、基地局装置に利用可能である。
【符号の説明】
【００３７】
１・・・無線システム，１００・・・外部装置，２・・・基地局装置，２２・・・データ送受信部，２４・・・データ解析部，２６・・・ＦＰＧＡ
【図１】
2012142801.tif 000003
【図２】
2012142801.tif 000004
【図３】
2012142801.tif 000005
【図４Ａ】
2012142801.tif 000006
【図４Ｂ】
2012142801.tif 000007
【図５Ａ】
2012142801.tif 000008
【図５Ｂ】
2012142801.tif 000009